(57)【特許請求の範囲】
【請求項１】
蓋セットの下面後部と下面前部に放熱板セットに対する後部係合部と前部係合部を設け、その前部係合部を上記蓋セットに設けた可動係合部材と放熱板セットとの係脱構造により構成してなる炊飯ジャーの蓋において、上記可動係合部材を上記放熱板セットに対する係合方向に附勢され、かつ揺動自在に取付けられた放熱板フックにより構成し、該放熱板フックに使用者により直接操作される操作部を設け、上記操作部を上記蓋セットの内方に傾斜した傾斜面により形成し、該傾斜面が放熱板セット取外し時の指掛け部と、放熱板セット取付け時のガイド部とを兼ねることを特徴とする炊飯ジャーの蓋。
【請求項２】
蓋セットの下面後部と下面前部に放熱板セットに対する後部係合部と前部係合部を設け、その前部係合部を上記蓋セットに設けた可動係合部材と放熱板セットとの係脱構造により構成してなる炊飯ジャーの蓋において、上記可動係合部材を上記放熱板セットに対する係合方向に附勢され、かつ揺動自在に取付けられた放熱板フックにより構成し、上記の放熱板セットを蓋セットに取付けた状態において、該放熱板セットに設けた把持片と蓋セットの間のすき間が、該把持片を把持することが不可能な大きさに制限されていることを特徴とする炊飯ジャーの蓋。
【発明の詳細な説明】
【０００１】
【発明の属する技術分野】
この発明は、炊飯ジャーの蓋に関し、特に放熱板セットの着脱構造に関するものである。
【０００２】
【従来の技術】
炊飯ジャーの蓋は、通常、蓋セット内部に設けられた蓋ヒーターの熱をジャー本体側に均等に放熱するために放熱板セットが取付けられ、また、その放熱板セットは使用者において手入れが可能なように、着脱自在となっている。
【０００３】
その取付け構造の一例として、従来から知られているものは、蓋セットの下面前部と下面後部に放熱板セットに対する前部係合部と後部係合部を設け、その前部係合部を、前後方向に移動可能に設けた可動係合部材と放熱板セットとの係脱構造により構成したものであり、その可動係合部材は、放熱板セットとの係合方向に附勢される（例えば、特開２０００−１４５３７号公報参照）。
【０００４】
上記の取付け構造をもった蓋において、放熱板セットを蓋セットから取外す際は、放熱板セットに設けた一対の把持片を左右の指先で把持し、可動係合部材（前傾の公報の場合は、係止爪２３）の附勢力に抗して該放熱板セットとの係合を解除して取外す。取付ける際は、上記と逆の操作による。
【０００５】
上記の取付け・取外しに際して、使用者は放熱板セットの把持片（同じく、指掛け突片２１）を把持して取付け取外しを行うだけであり、蓋セットの可動係合部材に触れたり、これを操作したりすることはない。可動係合部材は、放熱板セットの取付け又は取外しに際して、附勢力に抗して強制的に後退されて係合が解除される。また、反対にその附勢力により前進し、放熱板セットがある場合はこれに係合し、ない場合は単に前進する。
【０００６】
なお、前掲の公報に記載されたものは、蓋フック（蓋をジャー本体に係合させるためにジャー本体側に設けられたフック２２。蓋を開放する際に使用者により操作される。）を上記の可動係合部材（係止爪２３）に係止させることにより、放熱板セットがない場合に蓋フックが可動係合部材に係合せず、したがって蓋が閉まらないことをもって放熱板セットの取付け忘れを警告するようにしている。
【０００７】
【発明が解決しようとする課題】
前述のように、従来の場合は放熱板セットが可動係合部材に係合されていたので、放熱板セットの蓋セットに対する係合の強さは、専ら可動係合部材の附勢力と係合の深さに影響されるものであった。このため、係合の強さが大き過ぎると、放熱板セットが勝手に外れることがない利点がある一方、取付け・取外しに大きな力が必要となる不便があった。逆に、係合力が小さい場合は、放熱板セットの取付け・取外しは容易にできるが、高温時等において勝手に外れることがある不便があった。
【０００８】
このような問題を解消するためには、部品の製作や組立て精度を上げなければならないため、生産能率を阻害し、またコスト高の原因となる問題があった。
【０００９】
そこで、この発明は、放熱板セットの取付け・取外しが容易にできるとともに、勝手に外れることがなく、高い精度も必要としない蓋を提供することを課題とする。
【００１０】
【課題を解決するための手段】
上記の課題を解決するために、この発明は、蓋セットの下面後部と下面前部に放熱板セットに対する後部係合部と前部係合部を設け、その前部係合部を上記蓋セットに設けた可動係合部材と放熱板セットとの係脱構造により構成してなる炊飯ジャーの蓋において、上記可動係合部材を上記放熱板セットに対する係合方向に附勢した放熱板フックにより構成し、該放熱板フックに使用者により直接操作される操作部を設けた構成を採用したものである。
【００１１】
上記の構成によると、放熱板セットを取外す際は、使用者が操作部に指を掛けることにより放熱板フックを操作し、放熱板セットに対する係合を解除して取外す。また、取付ける場合は、放熱板セットの後部を先に後部係合部に係合したのち、前部を前部係合部の放熱板フックに係合させて取付ける。
【００１２】
また、上記放熱板フックを、上記放熱板セットに揺動自在又はスライド自在に取付けた構成を採ることができる。
【００１３】
また、上記の操作部が上記蓋セットの内方に傾斜した傾斜面を有し、該傾斜面が放熱板セット取外し時の指掛け部と、放熱板セット取付け時のガイド部とを兼ねる構成を採用することができる。このような構成を採用すると、放熱板セットを取外す際は、放熱板フックの傾斜面に指を掛けて操作できる便利さがあり、また、放熱板セットを取付ける際は、上記の傾斜面をガイド部として滑らせながら簡単に取付けることができる。
【００１４】
また、上記の放熱板セットを蓋セットに取付けた状態において、該放熱板セットに設けた把持片と蓋セットの間のすき間が、該把持片を把持することが不可能な大きさに制限されている構成を採ることもできる。この構成によると、放熱板セットを取外す際に、誤って把持片に指を掛けることが防止され、同時に放熱板フックを操作して係合を解除する操作を促すことができる。
【００１５】
【発明の実施の形態】
以下，この発明の実施形態を添付図面に基づいて説明する。図１に示すように、実施形態の炊飯ジャーは、ジャー本体１、これに開閉自在に取付けられた蓋２を有し、ジャー本体１の前面に操作・表示部３が設けられ、また蓋２にフック解除ボタン４及び蒸気口セット５が取付けられる。図２に示すように、ジャー本体１の内部には、釜６が出し入れ自在に収納される。蓋２は、図示のように、ジャー本体１に取付けられる蓋セット７と、その下面の取付け凹所８に着脱自在に取付けられる放熱板セット９とにより構成される。
【００１６】
上記の放熱板セット９は、図２、図３に示すように、金属板でなる放熱板１１と、その外周縁に取付けられた放熱板リング１２と、その放熱板１１と放熱板リング１２とにより挟着されたパッキン１３とからなる。この放熱板１１は、蓋セット７内部に装着された蓋ヒーター１４の熱を釜側に放熱する作用をなす。上記の放熱板リング１２の後部（ヒンジ軸１０側）の両側には、直角に突き出した後部係合凸部１５，１５が設けられ、また、前部中央部には、前部係合凸部１６が設けられる。その前部係合凸部１６の両側に把持片１７，１７が設けられる。
【００１７】
一方、蓋セット７の下面に設けた前述の取付け凹所８の内周部には、ヒンジ軸１０側の後縁部に前記の後部係合凸部１５，１５を受入れ、これに係脱自在に係合される後部係合部１８，１８が設けられる（図２、図４参照）。また、前縁部の中央部に放熱板フック１９が取付けられ、前記の前部係合凸部１６に係脱自在に係合される。また、その放熱板フック１９の両側に前記の把持片１７，１７を受入れる凹所２１，２１が設けられる。
【００１８】
上記の放熱板フック１９は、図５及び図７に示すように、蓋２をジャー本体１に係合するための蓋フック２３の中間部分に設けた凹所２４に配置される。そして、蓋フック２３の支持軸２５が放熱板フック１９にも挿通され、放熱板フック１９は前後方向に揺動自在に支持される。支持軸２５の両端部は蓋セット７の補強部材２７に設けた取付け穴２８，２８に差込んで支持される（図６、図７参照）。また、放熱板フック１９を支持軸２５が貫通する位置より若干下方において、線ばね２６が貫通される。この線ばね２６は、後方にわん曲され、その両端部を蓋本体３１の前端部に設けた取付け穴３０，３０に差込む（図６、図７参照）。これにより、放熱板フック１９が内向きに附勢される。なお、図５、図６及び図７において、２９は蓋フック２３の附勢用ばねを示す。
【００１９】
上記の放熱板フック１９は、図５に示すように、前記の前部係合凸部１６に係合されるかぎ形部３２を有し、これにより前部係合凸部１６に対する係合深さが十分とれるようにしている。また、そのかぎ形部３２の反対面（下面）は、傾斜面３３となっている。傾斜面３３は、この放熱板フック１９を係合解除方向に使用者が操作する際の指を掛ける操作部となる一方、放熱板セット９を取付ける際のガイド部ともなる。
【００２０】
実施形態の炊飯ジャーは以上のようなものであり、蓋２は前記の蓋フック２３によりジャー本体１に係合され、フック解除ボタン４を操作すると蓋フック２３の係合が解除され、蓋２はヒンジばね（図示省略）の作用により自動開放される。放熱板セット９は、前述のように、その後部係合凸部１５，１５が蓋セット７の後部係合部１８，１８に係合されるとともに、前部係合凸部１６が放熱板フック１９に係合された状態に取付けられる。放熱板フック１９は、その深いかぎ形部３２により前部係合凸部１６に係合されるとともに、線ばね２６の附勢力により所要の係合強さをもって係合され、勝手に外れることはない。
【００２１】
放熱板セット９を取外す際は、放熱板フック１９の傾斜面３３に指先を掛け、これを外方に操作すると、線ばね２６を弾性変形させながら（図６の二点鎖線参照）が外方に回動し（図５の二点鎖線参照）、かぎ形部３２が前部係合凸部１６から外れる。その上で把持片１７，１７を把持して取外す。この場合、かぎ形部３２が前部係合凸部１６から外れた際に、放熱板セット９を蓋セット７から押し出されるようにするため（図３の二点鎖線参照）、蓋セット７の内部に設けた蒸気通路３４の入口に装着されたパッキン３５を放熱板１２の上面に押し当てている。パッキン３５の弾性により放熱板セット９が押し出される。
【００２２】
また、上記のように放熱板フック１９を操作することなく、把持片１７，１７を直接把持して放熱板セット９を取外すことを防止するために、図８に示すように、各把持片１７と凹所２１との間の放熱板１１の面方向のすき間ａ、及び厚さ方向のすき間ｂをいずれも指先が入らない大きさに制限することにより、把持片１７，１７を指先で把持できないようにしている。
【００２３】
上記の放熱板セット９を取付ける際は、先にその後部係合凸部１５，１５を後部係合部１８、１８に係合したのち、前部係合凸部１６の先端部を放熱板フック１９の傾斜面３３をガイド部として滑らせながらこれを外方に後退させ、かぎ形部３２に係合させる。
【００２４】
放熱板フック１９は前記の場合は、支持軸２５に揺動自在に取付けているが、その他の構造として、図９（ａ）（ｂ）に示すように、前後方向にスライド自在に取付けてもよい。この場合の放熱板フック１９ａはかぎ形部３２及び傾斜面３３を有すること、また線ばね２６により附勢されることは前記の場合と同様であるが、左右にスライド用突起３６を有し、これを蓋セット７に設けた前後方向のガイド溝３７によりスライド自在に支持するようにしている。この場合は、放熱板フック１９ａが図９（ａ）において二点鎖線で示すように前後方向にスライドして係合又は係合解除の作用を行う。
【００２５】
また、図１０（ａ）（ｂ）に示した他の例は、放熱板フック１９ｂをＬ字形に形成し、その先端部を軸３８により左右方向に揺動自在に支持し、前部係合凸部１６の下方にその先端部を係合するようにしている。放熱板フック１９ｂはばね３９により前進方向に附勢され、使用者がその操作部４１に指先を当てて二点鎖線で示すように、後退させることにより前部係合凸部１６との係合を解除するようにしている。
【００２６】
図１１（ａ）（ｂ）に示したその他の例は、放熱板フック１９ｃを前部係合凸部１６の側方においてスライド自在に設けたものである。この場合は、蓋セット７に設けた左右方向のガイド溝３７’によりガイドし、ばね３９’により附勢するようにしている。
【００２７】
【発明の効果】
以上のように、この発明は、放熱板セットを蓋セットに設けた放熱板フックにより係合し、その放熱板フックに設けた操作部に指を掛けて使用者が係合解除するようにしたものであるから、比較的強く係合されていても簡単に係合を解除することができる。このため、部品のサイズやその組立て精度が左程高くなくても、確実に放熱板セットを蓋セットに係合することができる。また、その取付け・取外しの操作は簡単であり、また高温下においても放熱板が勝手に外れることが防止される。
【図面の簡単な説明】
【図１】実施形態の斜視図
【図２】同上の分解斜視図
【図３】同上の蓋の断面図
【図４】同上の蓋の底面図
【図５】同上の蓋の一部断面図
【図６】同上の放熱板フック部分の一部平面図
【図７】同上の放熱板フック部分の分解斜視図
【図８】図４のＶＩＩＩ−ＶＩＩＩ線の断面図
【図９】（ａ）放熱板フック部分の変形例の断面図
（ｂ）（ａ）図のｂ―ｂ線の断面図
【図１０】（ａ）放熱板フック部分の他の変形例の底面図
（ｂ）（ａ）図の正面図
【図１１】（ａ）放熱板フック部分の他の変形例の底面図
（ｂ）（ａ）図の正面図
【符号の説明】
１  ジャー本体
２  蓋
３  操作・表示部
４  フック解除ボタン
５  蒸気口セット
６  釜
７  蓋セット
８  取付け凹所
９  放熱板セット
１０  ヒンジ軸
１１  放熱板
１２  放熱板リング
１３  パッキン
１４  ヒーター
１５  後部係合凸部
１６  前部係合凸部
１７  把持片
１８  後部係合部
１９、１９ａ、１９ｂ、１９ｃ  放熱板フック
２１  凹所
２３  蓋フック
２４  凹所
２５  支持軸
２６  線ばね
２７  補強部材
２８  取付け穴
２９  附勢用ばね
３０  取付け穴
３１  蓋本体
３２  かぎ形部
３３  傾斜面
３４  蒸気通路
３５  パッキン
３６  スライド用突起
３７，３７’  ガイド溝
３８  軸
３９，３９’  ばね
４１  操作部
【図１】
0003549844.tif 000002
【図２】
0003549844.tif 000003
【図３】
0003549844.tif 000004
【図４】
0003549844.tif 000005
【図５】
0003549844.tif 000006
【図６】
0003549844.tif 000007
【図７】
0003549844.tif 000008
【図８】
0003549844.tif 000009
【図９】
0003549844.tif 000010
【図１０】
0003549844.tif 000011
【図１１】
0003549844.tif 000012